(57)【要約】本発明はデータ交換および記憶を行う装置および方法に関する。前記装置は、前記データ交換および記憶装置60の各モジュールの動作を制御し、データ処理および情報交換を行うためのファームウェアを含む制御装置モジュール62と、前記制御装置モジュール62の制御下でデータヲ記憶する内部記憶モジュール61と、システムインターフェースと接続され、前記制御装置モジュール62の制御下で前記データ処理システム10とデータの交換を行うシステムインターフェース63と、外部記憶装置と接続され、制御装置モジュール62の制御下で外部記憶装置とのデータの交換を行う外部装置インターフェースモジュール64とを含んでいる。装置は種々のタイプのインターフェースのデータ処理システムと、種々のタイプのインターフェースの外部記憶装置との接続を行うことができる。装置はまたデータ処理システムが内部記憶モジュールおよび外部記憶装置へアクセスする機能を実行でき、それによって本発明の装置はユーザに対して個々に移動可能な記憶センタと呼ばれることができる。
2006500663.tif 000002
【特許請求の範囲】
【請求項１】
データ交換および記憶装置（60）において、
データ交換および記憶装置（60）中の各モジュールの動作を制御し、データ処理および情報交換を行うためのファームウェアを含む制御装置モジュール（62）と、
制御装置モジュール（62）の制御下でデータを記憶する内部メモリモジュール（61）と、
データ処理システム（10）と接続され、制御装置モジュール（62）の制御下でデータ処理システム（10）とデータの交換を行うシステムインターフェースモジュール（63）と、
外部記憶装置と接続され、制御装置モジュール（62）の制御下で外部記憶装置とデータの交換を行う外部装置インターフェースモジュール（64）とを具備しているデータ交換および記憶装置（60）。
【請求項２】
内部メモリモジュール（61）はハードディスク、取外し可能なハードディスク、半導体記憶装置、光媒体記憶駆動装置を含んでいる請求項１記載のデータ交換および記憶装置。
【請求項３】
半導体記憶装置の記憶媒体は、フラッシュメモリ、ＤＲＡＭ、ＥＥＰＲＯＭ、ＳＲＡＭ、ＦＲＡＭ、ＭＲＡＭおよびミリピードの１つから選択され、１以上の半導体チップを選択している請求項２記載のデータ交換および記憶装置。
【請求項４】
システムインターフェースモジュール（63）はＵＳＢインターフェース、ＩＥＥＥ１３９４インターフェース、ブルーツースインターフェース、ＩｒＤＡ赤外線インターフェース、ホームＲＦインターフェース、ＩＥＥＥ８０２．１１ａインターフェース、ＩＥＥＥ８０２．１１ｂ、ＩＥＥＥ８０２．１１ｇ、ＳＣＳＩ、ＲＳ２３２およびプリンタ並列ポート、配線された広域／構内網インターフェースおよび／または無線の広域／構内網を含んでいる請求項１記載のデータ交換および記憶装置。
【請求項５】
外部記憶装置インターフェースモジュール（64）はＳＭ、ＣＦ、ＭＭＣ、ＳＤ、ＭＳ、ＭＤまたはｘ−Ｄインターフェースを含んでいる請求項１記載のデータ交換および記憶装置。
【請求項６】
システムインターフェースモジュール（63）と外部記憶装置インターフェースモジュール（64）とは同一のタイプまたは異なるタイプのインターフェースの単一のインターフェースまたはグループのインターフェースを含んでいる請求項１記載のデータ交換および記憶装置。
【請求項７】
さらに、外部電源または自己供給電池或いはシステムインターフェースモジュール（63）を介してデータ処理システム（10）からデータ交換および記憶装置へパワーを供給するための電源モジュール（65）を具備している請求項１乃至６のいずれか１項記載のデータ交換および記憶装置。
【請求項８】
さらに、データの捕捉および送信、情報プロンプト、動作モードの切換えの手動制御を行うための手動制御モジュール（66）を具備している請求項１乃至６のいずれか１項記載のデータ交換および記憶装置。
【請求項９】
手動制御モジュール（66）はダイヤルスイッチとキーを含んでいる請求項８記載のデータ交換および記憶装置。
【請求項１０】
さらに、静的情報および動的情報を表示するための情報プロンプトモジュール（67）を具備している請求項１乃至６のいずれか１項記載のデータ交換および記憶装置。
【請求項１１】
情報はユーザ情報、プロダクト情報、装置情報、送信ファイル情報、動作状態情報、接続されている外部記憶装置の情報を含んでいる請求項１０記載のデータ交換および記憶装置。
【請求項１２】
情報プロンプトモジュール（67）は液晶ディスプレイ、発光ダイオード、ＬＥＤ、音響装置、バイブレータの少なくとも１つを含んでいる請求項１０記載のデータ交換および記憶装置。
【請求項１３】
さらに、マルチメディアを再生する機能を実行するように内部メモリモジュール（61）または外部記憶装置と結合するためのオーディオモジュール（68）および／またはビデオモジュール（69）を具備している請求項１乃至６のいずれか１項記載のデータ交換および記憶装置。
【請求項１４】
さらに、外部記憶装置インターフェースモジュール（64）のインターフェースに配置されている排出装置を具備し、この排出装置は押した後、外部記憶装置を排出するように構成されている請求項１乃至６のいずれか１項記載のデータ交換および記憶装置。
【請求項１５】
外部記憶装置は取出し可能なディスクまたは記憶カードである請求項１乃至６のいずれか１項記載のデータ交換および記憶装置。
【請求項１６】
請求項１記載のデータ交換および記憶装置（60）を介してデータ交換および記憶装置（60）と、外部記憶装置と、ホストデータ処理システム（10）との間でデータ交換および記憶を行うためのデータ交換および記憶方法において、
１）データ交換および記憶装置の制御装置モジュール（62）は、外部記憶装置のインターフェースモジュール（64）の適切なインターフェースと接続されている外部記憶装置の特徴的な情報を検出し、外部記憶装置の特徴的な情報にしたがって適切なインターフェースプロトコルを選択し、外部記憶装置との接続を設定し、
２）データ処理システムまたはユーザからのリクエストにしたがって、制御装置モジュール（62）は、データ交換および記憶装置（60）と外部記憶装置またはデータ処理システムとの間のデータ交換を制御し、内部メモリモジュール（61）および外部記憶装置へのアクセスを制御するステップを含んでいる方法。
【請求項１７】
さらに制御装置モジュールは、データ処理システムまたはユーザからの動作命令にしたがって、情報プロンプトモジュール（67）のディスプレイ部分に外部記憶装置または内部メモリモジュールから読取られたデータを表示し、および／または
ユーザ情報、データ交換および記憶装置の動作状態情報、外部記憶装置の関連情報を情報プロンプトモジュール（67）を介して出力するステップを含んでいる請求項１６記載のデータ交換および記憶方法。
【請求項１８】
さらに、データ処理システムおよびユーザの動作命令にしたがって、外部記憶装置または内部メモリモジュールから読取られたマルチメディアデータをオーディオモジュール（68）および／またはビデオモジュール（69）を介して再生するステップを含んでいる請求項１６記載のデータ交換および記憶方法。
【請求項１９】
さらに、ユーザデータの記憶、情報のプロンプト、動作モードの切換等のような動作命令を制御装置モジュール（62）へ送信する手動制御モジュール（66）を含んでいる請求項１６記載のデータ交換および記憶方法。
【発明の詳細な説明】
【技術分野】
【０００１】
本発明は、データ処理技術、特に外部記憶装置とデータ処理システムとの間、または外部記憶装置間でデータ交換および記憶を行うことのできる装置および方法に関する。
【背景技術】
【０００２】
近年、情報技術とデータ技術の急速な進歩と広範囲の応用により、データ記憶技術はムーアの法則にしたがって迅速に改良されており、その記憶媒体の革新、記憶容量および記憶モードの拡張の変化が代表的である。
【発明の開示】
【発明が解決しようとする課題】
【０００３】
現在、ＳＭカード、ＣＦカード、ＭＭＣカード、ＳＤカード等を含む種々の記憶カードが媒体としてフラッシュメモリに基づいており、その性能の信頼性と拡張能力により、記憶装置としてデジタルカメラ、デジタルビデオ等のようなデジタル装置に広く適用されている。しかしながら、このような記憶装置または記憶媒体は明白な欠点を有し、それは以下の点において明らかに存在する。  
１）小さい記憶容量。現在、市場に存在する種々の記憶装置の容量は１６Ｍ、３２Ｍ、６４Ｍ、１２８Ｍであり、ギガバイト“ＧＢ”の容量レベルまでの記憶カードは高価であり、それ故通常の消費者には受入れがたい。メガバイトの記憶媒体に記憶されるデジタル写真または画像のファイル数は非常に限定される。例えば１６ＭのＳＭ記憶カードがデジタル写真または画像を記憶するために使用されるとき、解像度２５６０×１９２０画素のＳＨＱフォーマットを使用して４個の写真または画像しか記憶されることができず、解像度２５６０×１９２０画素のＨＱフォーマットを使用して１０個の写真または画像しか記憶されることができず、解像度２５６０×１９２０画素のＴＩＦＰフォーマットを使用してただ１個の写真または画像しか記憶されることができない。
【０００４】
２）このような記憶カードを使用する機会の限定。記憶カードは受動的な記憶装置であり、記憶カードにおいて書込みおよび読取性能を動作するためのデータ処理システムとしてコンピュータに接続されなければならない。コンピュータの摧行が不便であるか、または利用可能なコンピュータがない場合、記憶カードは全く使用されることができず、したがってその利用性は低くなる。
【０００５】
３）カードの特有性および不適合性。異なるデジタル装置の製造業者により採択された異なる標準方式およびコンピュータの異なるインターフェース標準方式のために、インターフェース変換器（例えばカードの読取装置）はこれらのコンピュータがデータを処理するために接続されるとき、インターフェース間でデータの変換を行うことが必要とされる。この場合、複数の異なるタイプの記憶カードが所望されるならば、ユーザは多数のカード読取装置を必要とし、それ故、装置のコストは高くなり、動作は複雑になる。
【０００６】
従来技術の欠点を考慮して、本発明はデータの交換および記憶を実行することのできる装置およびその方法を提供することを目的とする。記憶装置がデータ処理システムと接続されていない場合でさえも、他の記憶装置とのデータの交換および記憶が可能である。
【課題を解決するための手段】
【０００７】
本発明の１特徴にしたがって、データ交換および記憶装置が提供され、この装置はデータ交換および記憶装置中のモジュールの動作を制御し、データ処理および情報交換を行うためのファームウェアを含む制御装置モジュールと、制御装置モジュールの制御下でデータを記憶する内部メモリモジュールと、データ処理システムと接続され、制御装置モジュールの制御下でデータ処理システムとデータの交換を行うシステムインターフェースモジュールと、外部記憶装置と接続され、制御装置モジュールの制御下で外部記憶装置とのデータの交換を行う外部メモリ装置インターフェースモジュールとを具備している。
【０００８】
本発明の別の特徴によると、データ交換および記憶方法が提供され、その方法はデータ交換および記憶装置と、外部記憶装置と、ホストデータ処理システムとの間でデータ交換および記憶を行うために本発明の第１の特徴にしたがって提供されたデータ交換および記憶装置を使用し、データ交換および記憶方法は、
１）データ交換および記憶装置の制御装置モジュールは、外部記憶装置のインターフェースモジュールの対応するインターフェースと接続されている外部記憶装置の特徴的な情報を検出し、外部記憶装置との接続を設定するために外部記憶装置の特徴的な情報にしたがって対応するインターフェースプロトコルを選択し、
２）データ処理システムまたはユーザからのリクエストにしたがって、制御装置モジュールは外部記憶装置またはデータ処理システムとのデータ交換を行うためにデータ交換および記憶装置を制御し、内部メモリモジュールおよび外部記憶装置へのデータアクセスを制御するステップを含んでいる。
【０００９】
従来技術と比較して、本発明は次のような利点を有している。即ち、接続するデータ処理システムが存在しない場合、本発明の装置はそれ自体がデータ処理能力を有しているので、本発明の装置は外部記憶装置のデータを本発明の内部メモリモジュールに記憶するか、本発明の内部メモリモジュール中のデータを外部記憶装置に記憶することができる。本発明の内部メモリ媒体は拡張可能であり、変更可能である。本発明の内部メモリモジュールが取外し可能なハードディスクであるとき、移動体データの大容量記憶が実行されることができる。さらに、本発明の複数のホストインターフェースおよび外部記憶装置インターフェースは異なるタイプのインターフェースのデータ処理システムおよび複数の異なるタイプの外部記憶装置との接続を可能にし、本発明の内部メモリモジュールおよび外部記憶モジュールのデータに対するデータ処理システムの読取および書込み機能を可能にし、それによって本発明の装置はパーソナルＭＳＣ（移動可能な記憶センタ）として使用されることができる。
【発明を実施するための最良の形態】
【００１０】
本発明の実施形態を添付図面を参照して以下説明する。  
本発明のデータ交換および記憶装置は（取外し可能な記憶ディスクおよび記憶カードを含んだ）全ての種類の外部記憶装置間と、外部記憶装置とホストデータ処理システム間でデータの交換を実現し、外部記憶装置またはホストデータ処理システムから読み出されるデータを片面または両面に記憶することができる。
【００１１】
本発明のデータ処理システムとは、通常、データ処理容量を有する全ての種類の電子装置を意味し、これは種々のパーソナルコンピュータ、小型コンピュータ、マイクロコンピュータ、パームコンピュータ、ハンドヘルドコンピュータ、ノート型コンピュータ、データ処理ワークステーションを含んでいるが、それらに限定されない。
【００１２】
図１に示されているように、本発明のデータ交換および記憶装置は、データ記憶のための内部メモリモジュール61、データ処理システムと接続するシステムインターフェースモジュール63、データを外部記憶装置との間で送信するための外部記憶装置インターフェースモジュール64、全ての前述のモジュールと接続し、それらを制御するための制御装置モジュール62、パワーをこれらのモジュールへ供給するための電源モジュール65を含んでいる。制御装置モジュール62では、データ交換および記憶装置が任意のデータ処理システムに取付けられない時でさえも、データ記憶動作を外部記憶装置に対して行うために本発明のデータ交換および記憶装置を駆動するために使用される動作および制御ファームウェアが設けられている。
【００１３】
本発明の前述の実施形態では、内部メモリモジュール61はハードディスク、取外し可能なハードディスク、半導体記憶装置、光媒体記憶駆動装置を含んでいるがそれらに限定されず、例えば磁気記憶媒体、光記憶媒体、半導体記憶媒体のような記憶媒体が使用可能である。半導体記憶装置の記憶媒体は、フラッシュメモリ、ＤＲＡＭ、ＥＥＰＲＯＭ、ＳＲＡＭ、ＦＲＡＭ、ＭＲＡＭ、ミリピード等が含まれるが、これらに限定されず、このような記憶媒体は１以上の半導体チップを具備することができる。
【００１４】
本発明の１実施形態では、ＤＲＡＭは内部メモリモジュール61の記憶媒体として使用されることができる。ＤＲＡＭはその消耗能力のために高速度および大きな容量のメモリでさらに応用可能である。しかしながらこのようなメモリはパワーがオフのとき、全ての記憶されたデータを失う可能性がある。それ故、ＤＲＡＭが本発明のデータ交換および記憶装置の内部メモリモジュール61で使用されるとき、（電池のような）電源が比較的長時間、ＤＲＡＭに記憶されたデータを維持するために設けられるべきである。
【００１５】
別の実施形態では、内部メモリモジュール61は取外されることができる。この場合、前述のデータ交換および記憶装置は外部記憶装置とデータ処理システムとの間の複数のインターフェースまたは接続装置を有するカード読取装置として動作し、それによって外部記憶装置とデータ処理システムとの間のデータアクセスを可能にする。
【００１６】
更に別の実施形態では、排出（ejection）装置（図示せず）が外部記憶装置のインターフェースモジュール64のインターフェースに設けられることができる。排出装置はそれが押されるならば、外部記憶装置を取出す。
【００１７】
システムインターフェースモジュール63は、配線されたユニバーサルインターフェースまたは無線ユニバーサルインターフェースのようなユニバーサルインターフェースを使用してもよい。図３に示されているように、制御装置モジュール62はシステムインターフェースモジュール63を介して、同一のタイプまたは異なるタイプの単一のインターフェースまたは複数のインターフェースと接続されることができる。
【００１８】
各インターフェースはそれぞれのインターフェースプロトコルにしたがってデータ処理システムの異なるインターフェースに接続される。システムインターフェースモジュール63のインターフェースのタイプはＵＳＢインターフェース、ＩＥＥＥ１３９４インターフェース、ブルーツースインターフェース、ＩｒＤＡ赤外線インターフェース、ホームＲＦインターフェース、ＩＥＥＥ８０２．１１ａまたはＩＥＥＥ８０２．１１ｂインターフェース、ＩＥＥＥ８０２．１１ｇインターフェース、ＳＣＳＩ、ＲＳ２３２、プリンタポート、配線された広域／構内網および／または無線の広域／構内網等を含んでいるがそれらに限定されない。システムインターフェースモジュール63は、送信されるデータをそれぞれのインターフェースのタイプにしたがってインターフェースに対応するプロトコルに適合するデータフォーマットへ変換するか、インターフェースタイプにしたがって受信されたデータのフォーマットを解釈するために制御装置モジュール62の制御下にある。
【００１９】
外部記憶装置インターフェースモジュール64は制御装置モジュール62を外部記憶装置へ接続するためのインターフェースである。図４に示されているように、外部記憶装置インターフェースモジュール64は単一のインターフェースまたは複数の均一なインターフェースの組合せ、および／または複数の異なるタイプのインターフェースであってもよい。外部記憶装置インターフェースモジュール64中に設けられるインターフェースはＳＭ、ＣＦ、ＭＭＣ、ＳＤ、ＭＳ、ＭＤおよびｘ−Ｄ等を含んでいるがそれに限定されず、またＵＳＢ、ＩＥＥＥ１３９４、ＩＤＥ、ＳＣＳＩ、ブルーツース、ＩｒＤＡ、ホームＲＦ、ＩＥＥＥ８０２．１ｘおよび一連のその他の類似のインターフェースを含むこともできる。外部記憶装置インターフェースモジュール64はＳＭ（スマート媒体）、ＣＦ（コンパクトフラッシュ（登録商標））、ＭＭＣ（マルチメディアカード）、ＳＤ（秘密保護デジタル）、ＭＳ（メモリスティック）、ＭＤ（マイクロ−ドライブ）、ｘ−Ｄ（ｘ−Ｄピクチャカード）等のような外部記憶装置と接続することができ、またハードディスク、取外し可能なハードディスク、またはその他の半導体記憶装置などを接続することができる。外部記憶装置インターフェースモジュール64は、送信されるデータをそれぞれのインターフェースのタイプにしたがってインターフェースに対応するプロトコルに適合するデータフォーマットへ変換するか、インターフェースタイプにしたがって受信されたデータのフォーマットを解釈するため制御装置モジュール62の制御下にある。
【００２０】
本発明のデータ交換および記憶装置は電源モジュール65を介して動作電源を供給する。電源モジュール65は外部電源または自己供給電源からパワーを獲得できる。またシステムインターフェースモジュール63のインターフェースを介してデータ処理システムを通ってパワーを提供できる。１実施形態では電源モジュールは自己供給電源を使用し、本発明のデータ交換および記憶装置の電源をオフ／オンに切換えるパワー制御スイッチが設けられている。自己供給電源は光電池、一次電池および／または再充電可能な電池を選択し、使用することができる。さらに、電源モジュール65はデータ処理システムと接続されるとき再充電可能な電池を充電するための回路を設けられてもよい。
【００２１】
図５に示されているように、電源モジュール65はパワー変換装置651、インターフェース電源モジュール652、電源スイッチ装置653、電池電源装置654、パワーモード指示装置655を含んでいる。電源モジュール65はインターフェース電源モジュール652を介してデータ処理システムのインターフェースからの電力供給を実現できる。データ処理システムが接続されていない場合、自己供給電源により供給されるパワーはパワー変換装置651、電源スイッチ装置653および電池電源装置654を介して与えられることができる。
【００２２】
電源モジュール65の回路原理が図１２に示されている。パワー回路はパワーを供給する複数の方法を与え、本発明のデータ交換および記憶装置に複数の動作電圧を与える。パワー回路はインターフェース電源、電池電源、外部電源をエネーブルすることができる。この図面に示されているＢ１は電池電源装置であり、Ｊ６は外部電源Ｄ１、Ｄ２のジャックであり、インターフェース電源、電池電源、外部電源の１つを選択することにより、好ましくはデータ処理システムと接続されているインターフェース電源を選択することにより与えられることを可能にされる。この図面では、ブースタＵ６、抵抗Ｒ１６、Ｒ１７、キャパシタＣ２４、Ｃ２７、Ｃ３１は＋５Ｖの電圧の調節および調整回路を構成している。この図面では、ブースタＵ７、キャパシタＣ３６、Ｃ３７、Ｃ３９、Ｃ４２は＋３．３Ｖの電圧の調節および調整回路を構成している。この図面では、ブースタＵ８、抵抗Ｒ１８、Ｒ１９、キャパシタＣ４７、Ｃ４８は＋２．５Ｖの電圧の調節および調整回路を構成する。この図面では、キャパシタＣ１６、Ｃ１７、Ｃ１９、Ｃ２１、Ｃ２２、Ｃ２５、Ｃ２８、Ｃ３０、Ｃ３３、Ｃ３４、Ｃ３５と、キャパシタＣ１８、Ｃ２０、Ｃ２３、Ｃ２６、Ｃ２９、Ｃ３２は＋３．３Ｖの電圧の２つのグループの濾波回路をそれぞれ構成する。この図面では、キャパシタＣ３８、Ｃ４０、Ｃ４３、Ｃ４５と、キャパシタＣ４１、Ｃ４４、Ｃ４６は＋２．５Ｖの電圧の２つのグループの濾波回路をそれぞれ構成している。
【００２３】
制御装置モジュール62は本発明のデータ交換および記憶装置の中央制御モジュールである。図１に示されているように、制御装置モジュール62は本発明の内部メモリモジュール61および／または外部記憶装置へのデータ処理システムのデータアクセスコマンドを実行するだけでなく、外部記憶装置に記憶されているデータを読出し、それを内部メモリ装置61へ記憶するか、データ処理システムが接続されていないときには、内部メモリ装置61に記憶されているデータを読出してそれを外部記憶装置へ記憶することを実行する。制御装置モジュール62は異なる標準方式を有する複数のインターフェースをサポートでき、それは並列、直列インターフェースまたは無線インターフェースを含み、システムインターフェースモジュール63と外部記憶装置インターフェースモジュール64とを制御し、異なるインターフェースプロトコルフォーマットに基づいてデータおよびコマンドを解釈し、変換し、制御し、送信する。特別なプロセスは、並列、直列および／または無線で接続されるインターフェースのタイプを識別し、対応するインターフェースプロトコルを選択し、本発明のデータ交換および記憶装置と外部記憶装置とデータ処理システムとの間の接続を初期化し、対応するインターフェース標準プロトコルの特定された方法にしたがって、データがデータ処理システム、外部記憶装置、および内部メモリ装置61間で交換またはアクセスされることを許容する。
【００２４】
制御装置モジュール62は独立してデータを処理する能力を有し、即ち本発明のデータ交換および記憶装置がそのデータ処理システムにも接続されていない場合に、接続されている取外し可能な記憶ディスクおよび／または記憶カードのような外部記憶装置中に記憶されているデータをアクセスすることができる。独立したデータ処理能力は主に制御装置モジュール62のファームウェアにより実現されることができる。ファームウェアは本発明のデータ交換および記憶装置の部分として、本発明の装置の種々のデータ処理機能を実行するために小型またはマイクロオペレーティングシステム（ＯＳ）を形成する。制御装置モジュール62中のファームウェアの動作手順を図９に関して以下説明する。
【００２５】
最初に、ユーザが本発明のデータ交換および記憶装置をデータ処理システムの対応するインターフェースへ取付けるとき、データ処理オペレーティングシステムはパワーがオンに切換えられたとき、システムインターフェースを初期化する。これは装置駆動プログラムを開始することを含み、制御装置モジュール62は以下の動作を実行する。  
１）制御装置モジュール62でオペレーティングシステムを介して装置の初期化を実行する。初期化動作は制御装置モジュール62と周辺インターフェースチップ回路の初期化と、内部メモリモジュール61に対する識別および接続と、他の周辺装置に対する識別および接続とを含み、さらにデータ処理システムの取外し可能な記憶装置のディスク識別子を発生する動作を含んでいる。
【００２６】
２）外部記憶装置インターフェースモジュール64の対応するインターフェースへ挿入される（取外し可能な記憶ディスクおよび記憶カードのような）外部記憶装置が存在するか否かを検出する。外部記憶装置が検出されたならば、同時に挿入されている外部記憶装置のタイプを検出し、その後、インターフェースの対応するプロトコルを選択し、それによって対応するインターフェース標準プロトコルの特定された方法にしたがって外部記憶装置とデータ処理システムとの間の接続を設定する。
【００２７】
３）データ処理システムがデータ交換および記憶装置の内部メモリモジュール61に動作リクエストを送信するならば、データ処理システムは制御装置モジュール62を介して内部メモリモジュール61とデータを交換し、それにアクセスする動作を行う。
【００２８】
４）データ処理システムがデータ交換および記憶装置のインターフェースに挿入されている外部記憶装置に動作リクエストを送信するならば、そのデータ処理システムは制御装置モジュール62を介して外部記憶装置とのデータ交換およびそれにアクセスする動作を実行する。
【００２９】
さらに、図９および図１０に示されているように、ユーザが本発明のデータ交換および記憶装置をデータ処理システムと接続しないが、これに直接パワーを与え、動作段階にそれを設定するならば、制御装置モジュール62は以下の動作を実行する。
【００３０】
１’）制御装置モジュール62中のファームウェア（オペレーティングシステム）を介して装置の初期化を実行し、制御装置モジュール62と周辺インターフェースチップ回路の初期化と、内部メモリモジュール61の識別および接続と、その他の外部装置の識別および接続とを含んでいる。
【００３１】
２’）外部記憶装置インターフェースモジュール64の対応するインターフェースに挿入される外部記憶装置が存在するか否かを検出し、外部記憶装置が検出されたならば、同時に挿入されている外部記憶装置のタイプ、インターフェースタイプ、装置の特性情報を検出し、異なるタイプの複数の外部記憶装置が対応するインターフェースに挿入されるならば、前述の動作を反復する。
【００３２】
３’）対応するインターフェースプロトコルを選択し、対応するインターフェース標準プロトコルの特定された方法にしたがって、外部記憶装置と内部メモリモジュール61との接続を設定する。
【００３３】
４’）ユーザからの動作リクエストに応答して、これは外部記憶装置または内部メモリモジュール61のデータを読取り、内部メモリモジュール61または外部記憶装置へそのデータを書込み、液晶ディスプレイ上に表示される画像等のように情報プロンプトモジュールを介してデータの読出に対する情報プロンプトを発生することを含んでいる。
【００３４】
制御装置モジュール62は機能により分割されることができ、それはシステムインターフェース制御装置、コア制御装置、外部記憶装置インターフェース制御装置を含むことができる。制御装置モジュール62は単一の制御装置チップであってもよく、また、標準プロトコルにしたがって、システムインターフェース制御装置、コア制御装置、外部記憶装置インターフェース制御装置のような複数の制御装置チップを接続することによって形成されることもできる。本発明のデータ交換および記憶装置では、コア制御装置は図２１に示されているようにコア制御装置チップＵ４である。１実施形態では、コア制御装置チップは本発明のデータ交換および記憶装置のコアプロセッサとして、サムソン社により製造されているＳ３Ｃ４４Ｂ０チップである。複数のインターフェースまたは多数のタイプのインターフェース、異なるタイプのデータ処理システム、外部記憶装置、本発明の装置の内部メモリモジュール61間でのデータ交換およびデータのアクセスを可能にするだけでなく、さらに重要なこととして、ここでは本発明の装置が任意のデータ処理システムと接続されていないとき、内部メモリモジュール61と外部記憶装置10間でのデータの交換とデータのアクセスを許容する。
【００３５】
本発明の更に別の実施形態によれば、本発明のデータ交換および記憶装置の機能およびアプリケーションは１以上の拡張モジュールを含むことにより拡張されることができる。図２に示されているように、本発明はさらに手動制御モジュール66、情報プロンプトモジュール67、オーディオモジュール68、ビデオモジュール69、その他の機能モジュールを含むことができる。これらの機能モジュールは先の実施形態のデータ交換および記憶装置のその他のモジュールと一体化されることができ、それによって多数の機能を有するパーソナルで移動可能記憶センタ（ＭＳＣ）を実現する。
【００３６】
特に、手動制御モジュール66はデータの捕捉および送信を制御し、情報プロンプトを制御し、動作モードを切換え、エネーブリングスイッチになるように本発明のデータ交換および記憶装置で主として使用される。手動制御モジュール66の使用は、データの捕捉および送信、情報プロンプト、動作モードの切換えのような本発明のデータ交換および記憶装置の機能の手動制御を実現できる。１実施形態では、例えば手動制御モジュール66はダイヤルスイッチおよびキーを含んでいる。
【００３７】
情報プロンプトモジュール67はユーザ情報および動作モードの情報をプロンプトするために制御装置モジュール62と接続される。その情報にはユーザ情報、プロダクト情報、装置情報、装置の特徴情報、動作モード情報、プロダクトタイプとモデルと外部記憶装置の製造業者のような外部記憶装置との接続に関する情報を含んでいる。情報プロンプトの手段は液晶ディスプレイ、発光ダイオードマトリックス、ＬＥＤ、音響プロンプトおよびバイブレータを採択することができる。情報プロンプトモジュール67はさらに、手動制御装置を含むことができ、それによって情報プロンプトの手動制御が実行される。手動制御装置はキーであってもよいが、キーに限定されない。
【００３８】
オーディオモジュール68は、音楽の再生、音響再生、言葉の朗読、レコーディング等のように本発明の装置のマルチメディア機能を実行するために内部メモリモジュールまたは外部記憶装置と結合することができる。オーディオモジュール68は制御装置モジュール62、内部メモリモジュール61、電源モジュール65、手動制御モジュール66、情報プロンプトモジュール67との接続をそれぞれ設定する。制御装置モジュール62はオーディオモジュール68の動作全体を制御し調整することができる。オーディオモジュール68は個々の制御装置を有していてもよく、これはまた制御装置62と１つに結合されてもよく、別々の組込みドライバおよびアプリケーションプログラムを含んでもよい。オーディオファイルは内部メモリモジュール61中に記憶され、また、ＣＦカードおよびＳＭカードのような外部記憶装置中に記憶されることができる。さらに、これは接続されているデータ処理システム中に記憶されてもよい。オーディオモジュール68のマルチメディア機能は手動制御モジュール66を介して手動で制御されてもよく、オーディオモジュール66の動作情報とモード情報の両者は情報プロンプトモジュール67を介して情報をプロンプトするために得られることができる。
【００３９】
本発明のデータ交換および記憶装置の拡張モジュールとして、ビデオモジュール69はビデオ情報再生およびイメージディスプレイ等のようなビデオシステム装置の機能を実行するために使用される。ビデオモジュール69はビデオシステム装置と接続されている機能インターフェースを含んでおり、それを介して外部ビデオシステム装置は捕捉されたビデオ情報を本発明の記憶装置の制御装置モジュール62へ転送することができる。制御装置モジュール62は内部メモリモジュール61または外部記憶装置中にビデオ情報を記憶する。ビデオ情報はさらに、本発明のデータ交換および記憶装置と接続されているデータ処理システムヘ転送されることができる。ビデオ情報の送信は手動制御モジュール66を介して制御されることができる。さらにビデオモジュール69はマイクロビデオ装置であってもよく、またビデオシステム装置を接続するインターフェースであってもよい。
【００４０】
図６は、本発明のデータ交換および記憶装置の１実施形態の構造ブロック図である。この実施形態では、システムインターフェースはＵＳＢインターフェースモジュール631であり、外部記憶装置のインターフェースはＣＦインターフェースモジュール641であり、移動体ハードディスクドライブ611は内部メモリ装置として使用される。さらに、情報プロンプトのための液晶ディスプレイモジュール671、手動制御のためのキーボード入力制御部661、オーディオ再生のためのＭＰ３プレーヤ681、映画集収装置と接続するための映画装置接続インターフェース691を含んでいる。制御装置モジュール62は移動体ハードドライブ611、ＵＳＢインターフェースモジュール631、ＣＦインターフェースモジュール641、液晶ディスプレイモジュール671、キーボード入力制御部661、ＭＰ３プレーヤ681との電気接続をそれぞれ設定する。前述の電気接続は全て信号およびデータの２方向伝送をサポートする。
【００４１】
この実施形態では、ＵＳＢインターフェースは標準的なＵＳＢインターフェース、例えば標準的な小型ＵＳＢ（ミニ−ＵＳＢ、オン・ザ・ゴー標準）である。この場合に、ＵＳＢインターフェースは電気信号、物理的な構造、物理的寸法のような特徴においてＵＳＢ標準にしたがっている。ＵＳＢインターフェースはまた標準的ではないＵＳＢインターフェースであってもよく、即ちその電気信号だけはＵＳＢ標準にしたがっているが、物理的構造およびサイズはＵＳＢ標準を使用しなくてもよい。
【００４２】
実施形態のＵＳＢインターフェースはＵＳＢ２．０標準プロトコルをサポートし、ＵＳＢ１．１標準プロトコルと適合可能であり、高速度のデータ送信を実現できる。これがＵＳＢ２．０に接続されるとき、その論理的データ送信速度は４８０ＭＢ／Ｓまでである。
【００４３】
図６に示されているように、実施形態のデータ交換および記憶装置はＵＳＢインターフェースを介して複数のデータ処理システム10に接続され、ＣＦインターフェースを介して外部記憶装置（例えば取外し可能な記憶ディスク20および／または記憶カード30）と接続することによりデータおよび情報の送信と記憶を行うことができる。ＣＦインターフェースはＣＦ−ＡＴＡインターフェースまたはＰＣＭＣＩＡまたはＴｒｕｅ  ＩＤＥインターフェースと両立可能である。データ交換および記憶装置60はデータ処理システム10に接続される外部記憶装置として動作し、データ処理システム10が移動体ハードディスクドライブ611および外部記憶装置20および／または30で直接データを読取り書込むことを可能にする。同時に、実施形態の取外し可能な記憶装置はＵＳＢ大容量記憶プロトコルとＣＦインターフェース送信プロトコルをサポートするために、ＵＳＢ大容量記憶装置およびカード読取装置として機能する。データ処理システム10は外部記憶装置20、30へデータ交換動作を行うだけでなく、移動体ハードディスクドライブ611に対するデータの交換動作を行う。さらに、データ処理システム10を介して、外部記憶装置20、30と移動体ハードディスクドライブ611との間のデータの交換を可能にする。
【００４４】
実施形態のシステムインターフェースにより使用されるＵＳＢインターフェースモジュール631の原理回路図が図１４に示されている。ＵＳＢインターフェースとＵＳＢ制御装置はＵＳＢ２．０標準プロトコルをサポートする。図ではＪ１はＵＳＢインターフェースのジャックであり、Ｕ１はＵＳＢ制御装置であり、ＣＹ１は動作パルスをＵＳＢ制御装置Ｕ１に与えるための１２ＭＨＺの水晶発振器である。ＵＳＢ制御装置Ｕ１のＵＳＢ＿Ｔ、ＵＳＢ＿ＷＫ、ＵＳＢ＿ＣＳ、ＵＳＢ＿ＲＤ、ＵＳＢ＿ＷＲ、ＵＳＢ＿ＩＮＴ、ＵＳＢ＿ＡＬＥおよびＵＳＢ＿ＲＳＴは制御信号の送信端部として図２１に示されているコア制御装置Ｕ４の対応する端部にそれぞれ接続されている。ＵＳＢ制御装置Ｕ１のＤ０〜Ｄ７はデータおよびアドレスの送信端部としてコア制御装置Ｕ４の対応する端部にそれぞれ接続されている。
【００４５】
ＵＳＢインターフェースモジュール631はデータ処理システム10との接続を可能にし、ＵＳＢプロトコルフォーマットに基づいてデータおよびコマンドを解釈し、変換し、制御し、送信し、ＵＳＢインターフェースの初期化を行い、データ処理システム10から送信されたコマンドおよびデータを制御し、受信し、データ処理システム10から送信されたコマンドを解釈し、実行し、情報およびデータをコア制御装置Ｕ４からデータ処理システム10へフィードバックし、それによってデータ処理システム10と本発明のデータ交換および記憶装置60との間に物理的および論理的接続を設定する。
【００４６】
実施形態の外部記憶装置インターフェースにより使用されるＣＦインターフェースモジュール641の原理回路図が図１７に示されている。図のＪ３は外部記憶装置としてＣＦカードを接続するためのＣＦカードのインターフェースコネクタを表している。ＣＦインターフェースはＣＦ−ＡＴＡインターフェースまたはＰＣＭＣＩＡまたはＴｒｕｅ  ＩＤＥインターフェースと両立可能である。ＣＤ１＃、ＣＤ２＃、Ａ０１＃、Ａ０２＃、ＣＳ０＃、ＣＳ１＃、ＩＯＲＤＹ＃、ＲＥＳＥＴ＃、ＩＯＷＲ＃、およびＩＯＲＤ＃は制御信号の送信端部として図２１に示されているコア制御装置Ｕ４の対応する端部にそれぞれ接続されている。Ｊ３のＤ０〜Ｄ１５はデータおよびアドレスの送信端部としてコア制御装置Ｕ４の対応する端部にそれぞれ接続されている。
【００４７】
実施形態で内部メモリモジュールとして使用される移動体ハードディスクドライブが図１６に示されており、ここでＪ２は移動体ハードディスクドライブ611と接続するための移動体ハードディスクドライブのコネクタである。接続される移動体ハードディスクドライブ611の仕様は２．５インチである。また１．８インチの移動体ハードディスクドライブであってもよい。図では、／ＩＯＷ、／ＩＯＲ、ＩＯ＿ＣＨ＿ＲＤ、ＩＲＱＲ、／ＤＡ１、ＤＡ０、／ＩＤＥ＿ＣＳ０、／ＡＣＴＩＶＥ、／ＩＤＥ＿ＣＳ１、ＤＡ２、ＢＡＣＫＵＰ、／ＩＯＣＳ１６は制御信号の送信端部として、図２１に示されているコア制御装置Ｕ４の対応する端部にそれぞれ接続されている。Ｊ２のＤ０〜Ｄ１５はデータおよびアドレスの送信端部としてコア制御装置Ｕ４の対応する端部にそれぞれ接続されている。
【００４８】
実施形態の情報プロンプトで使用される液晶ディスプレイモジュール671の原理回路図が図１３に示されており、ここでＬＤＢ０〜ＬＤＢ７はデータ信号のディスプレイビットとしてコア制御装置Ｕ４の対応する端部にそれぞれ接続されている。
【００４９】
図７は本発明のデータ交換および記憶装置の別の実施形態の構造ブロック図である。この実施形態ではシステムインターフェースはＩＥＥＥ１３９４インターフェースモジュール632である。外部記憶装置インターフェースモジュールのインターフェースはＳＭインターフェースモジュール642であり、内部メモリ装置は記憶媒体としてＤＲＡＭを有するＤＲＡＭ記憶モジュール612を使用する。さらに、図６に示されている実施形態に類似して、データ交換および記憶装置はさらに、情報プロンプトのための液晶ディスプレイモジュール671と、手動動作のためのキー入力制御部661と、オーディオを再生するためのＭＰ３プレーヤ681と、映画集収装置と接続するための映画装置の接続インターフェース691とを含んでいる。制御装置モジュール62はＤＲＡＭ記憶モジュール612と、ＩＥＥＥ１３９４インターフェースモジュール632と、ＳＭインターフェースモジュール642と、液晶ディスプレイモジュール671と、キー入力制御部661と、ＭＰ３プレーヤ681との電気接続をそれぞれ設定する。この実施形態では、電源モジュール65は長時間にわたってＤＲＡＭ記憶モジュール612へのパワー供給を維持して有効なデータが失われるのを防止するために電池パワーにより自己給電されている。
【００５０】
この実施形態では、ＩＥＥＥ１３９４インターフェースは標準的なＩＥＥＥ１３９４インターフェースであり、即ちＩＥＥＥ１３９４インターフェースは電気信号、物理的構造、物理的サイズのような特徴においてＩＥＥＥ１３９４標準にしたがっている。ＩＥＥＥ１３９４インターフェースは標準的ではないＩＥＥＥ１３９４インターフェースであってもよく、即ちその電気信号だけはＩＥＥＥ１３９４インターフェースにしたがっているが物理的構造および寸法はＩＥＥＥ１３９４標準を使用しなくてもよい。
【００５１】
実施形態のデータ交換および記憶装置60はＩＥＥＥ１３９４インターフェースを介して複数のデータ処理システム10に接続され、データおよび情報を送信し記憶するためにＳＭインターフェースモジュール642を介してＳＭインターフェースを有する外部記憶装置（例えば取外し可能なディスク20および／または記憶カード30）と接続されることができる。データ処理システム10はＩＥＥＥ１３９４インターフェースを介してデータ処理システム10を接続することによりＤＲＡＭ記憶モジュール612および外部記憶装置を直接読取り、それに書込むことができる。そのとき、実施形態のデータ交換および記憶装置60はＩＥＥＥ１３９４プロトコルとＳＭインターフェース送信プロトコルをサポートするためにＩＥＥＥ１３９４大容量記憶装置およびカード読取装置として動作する。データ処理システム10は外部記憶装置に対してデータの交換動作を行うだけでなく、ＤＲＡＭ記憶モジュール612に対してもデータの交換動作を行う。さらに、外部記憶装置とＤＲＡＭ記憶モジュール612との間のデータの交換はデータ処理システム10を介して実行されることができる。
【００５２】
本発明のシステムインターフェースにより使用されるＩＥＥＥ１３９４インターフェースモジュール632の原理回路図が図１５に示されている。ＩＥＥＥ１３９４インターフェースおよびＩＥＥＥ１３９４制御装置はＩＥＥＥ１３９４標準プロトコルをサポートする。この図では、Ｊ１０はＩＥＥＥ１３９４インターフェースのジャックであり、Ｕ１０はＩＥＥＥ１３９４制御装置であり、ＣＹ１０は動作パルスをＩＥＥＥ１３９４制御装置Ｕ１０に供給するための１２ＭＨＺの水晶発振器である。ＩＥＥＥ１３９４制御装置Ｕ１０の１３９４＿ＲＤと１３９４＿ＷＲは制御信号の送信端部として図２１に示されているコア制御装置Ｕ４の対応する端部にそれぞれ接続されている。制御装置Ｕ１０のＤ０〜Ｄ１５はデータおよびアドレスの送信端部としてコア制御装置Ｕ４の対応する端部にそれぞれ接続されている。
【００５３】
ＩＥＥＥ１３９４インターフェースモジュール632はデータ処理システム10との接続を可能にし、ＩＥＥＥ１３９４プロトコルフォーマットに基づいてデータおよびコマンドを解釈し、変換し、制御し、送信し、ＩＥＥＥ１３９４インターフェースの初期化を行い、データ処理システム10から送信されたコマンドおよびデータを制御し、受信し、データ処理システム10から送信されたコマンドを解釈し、実行し、コア制御装置Ｕ４からの情報およびデータをデータ処理システム10へフィードバックし、それによってデータ処理システム10と本発明のデータ交換および記憶装置60との間に物理的および論理的接続を設定する。
【００５４】
実施形態の外部記憶装置インターフェースモジュールにより使用されるＳＭインターフェースモジュール642の原理回路図が図１８に示されている。図中のＪ７は外部記憶装置としてのＳＭカードを接続するためのＳＭインターフェースのインターフェースコネクタを表している。図で示されているＳＭ＿ＡＬＥ、ＳＭ＿ＣＬＥ、ＳＭ＿ＲＥ、ＳＭ＿ＷＥ、ＳＭ＿ＷＰ、ＳＭ＿Ｒ／Ｂ、ＳＭ＿ＣＥ、ＳＭ＿ＣＤ、ＳＭ＿ＳＷ０は制御信号の送信端部として図２１に示されているコア制御装置Ｕ４の対応する端部にそれぞれ接続されている。さらに、Ｊ７のＤ０〜Ｄ７はデータおよびアドレスの送信端部としてコア制御装置Ｕ４の対応する端部にそれぞれ接続されている。
【００５５】
図８は本発明の更に別の実施形態のデータ交換および記憶装置の構造ブロック図である。この実施形態では、システムインターフェースはＵＳＢインターフェースであり、外部記憶装置インターフェースモジュールのインターフェースはＳＭ、ＣＦ、ＭＳ、ＳＤ／ＭＭＣのような複数のモジュール643であってもよい。移動体ハードディスクドライブ611は内部メモリ装置として使用されている。図６および７に示されている実施形態と類似して、データ交換および記憶装置はさらに情報プロンプトのための液晶ディスプレイモジュール671、手動動作のためのキー入力制御部661、オーディオ再生のためのＭＰ３プレーヤ681、映画集収装置と接続するための映画装置接続インターフェース691を含んでいる。制御装置モジュール62は移動体ハードディスクドライブ611、ＵＳＢインターフェースモジュール633、外部記憶装置インターフェースモジュール643（ＳＭ、ＣＦ、ＭＳ、ＳＤ／ＭＭＣ）、液晶ディスプレイモジュール671、キー入力制御部661、ＭＰ３プレーヤ681との電気接続をそれぞれ設定する。前述の電気接続は全て信号およびデータの２方向伝送をサポートする。この実施形態のデータ交換および記憶装置60はＵＳＢインターフェースを介して複数のデータ処理システム10に接続され、データおよび情報を送信し記憶するためにＳＭ、ＣＦ、ＭＳ、ＳＤ／ＭＭＣインターフェースモジュール643を介して、ＳＭカード、ＣＦカード、ＭＳメモリスティック、ＳＤカードおよびＭＭＣカード等のような複数の関連する外部記憶装置と接続することができる。ＣＦインターフェースはＣＦ−ＡＴＡインターフェースまたはＰＣＭＣＩＡまたはＴｒｕｅ  ＩＤＥインターフェースと適合可能である。データ処理システム10はＵＳＢインターフェースを介して、データ処理システム10に接続することにより移動体ハードディスクドライブ611および／または外部記憶装置において読取および書込み動作を直接実行することができる。したがって、実施形態のデータ交換および記憶装置60はＵＳＢ大容量記憶プロトコルとＳＭ、ＣＦ、ＭＳ、ＳＤ／ＭＭＣインターフェース送信プロトコルをサポートするために、ＵＳＢ大容量記憶装置およびカード読取装置として動作する。データ処理システム10は外部記憶装置に対するデータ交換および記憶動作を行うだけでなく、移動体ハードディスクドライブ611に対してもデータ交換および記憶動作を行う。さらに、データ処理システム10を介して、外部記憶装置と移動体ハードディスクドライブ611との間でデータの交換が実行されることができる。
【００５６】
図１９および２０は実施形態のＭＳインターフェースおよびＳＤ／ＭＭＣインターフェースの原理回路図である。図１９に示されているように、Ｊ４は外部記憶装置としてＭＳメモリスティックを接続するためのＭＳインターフェースのコネクタである。図面で示されているＭＳ＿ＳＣＬＫ、ＭＳ＿ＩＮＳ、ＭＳ＿ＳＤＩＯおよびＭＳ＿ＢＳは制御信号の送信端部として図２１に示されているコア制御装置Ｕ４の対応する端部にそれぞれ接続されている。
【００５７】
図２０中のＪ５はＳＤカードまたはＭＭＣカードを接続するためのＳＤ／ＭＭＣインターフェースのコネクタである。ＷＲ＿ＰＲＯＴＥＣＴ、ＣＤ／ＤＡＴ３、ＣＭＤおよびＣＡＲＤ＿ＤＥＴＥＣＴは制御信号の送信端部として図２１に示されているコア制御装置Ｕ４の対応する端部にそれぞれ接続されている。ＤＡＴ２、ＤＡＴ１、ＤＡＴ０はＳＤ／ＭＭＣのデータおよびアドレス送信端部としてコア制御装置Ｕ４の対応する端部にそれぞれ接続されている。ＭＳインターフェースとＳＤ／ＭＭＣインターフェースは逐次的な方法で実行される。
【００５８】
図１１は、図８に示されている本発明の実施形態のデータ交換および記憶装置の処理のフローチャートである。図６および７に示されているデータ交換および記憶装置の動作フローはこの例に類似している。
【００５９】
本発明のデータ交換および記憶装置がパワーがオンである間、動作モードにあるならば、制御装置モジュール62は初期化を実行する。初期化動作は制御装置モジュール62と、周辺インターフェースチップ回路と、内部メモリモジュール61に対する識別および接続とを含んでいる。同時に、制御装置モジュール62は、外部記憶装置インターフェースモジュール64の対応するインターフェースに挿入される外部記憶装置が存在するか否かを検出する。外部記憶装置が検出されるならば、挿入されている外部記憶装置のタイプと、インターフェースのタイプと、装置の特徴情報を検出する。挿入される外部記憶装置のタイプと、インターフェースのタイプと、装置の特徴情報を検出する前述の動作は、異なるタイプの複数の外部記憶装置が対応するインターフェースに挿入されるとき、反復される。さらに、検出結果は液晶ディスプレイモジュール671を介して表示されることができる。
【００６０】
本発明のデータ交換および記憶装置がＵＳＢインターフェースを介してデータ処理システム10と接続されるとき、制御装置モジュール62はデータ処理システム10からコマンドおよび情報を受信する。データ処理システム10がＵＳＢ動作リクエストを受信するとき、制御装置モジュール62はＵＳＢ標準プロトコルにしたがってデータ処理システム10とのＵＳＢ通信を行い、データ処理システム10のＵＳＢ動作コマンドを実行し、例えばデータ処理システム10と外部記憶装置または取外し可能なハードディスクまたはＤＲＡＭ記憶モジュールとの間でのデータ交換を実現するためにデータを交換しアクセスするためにハードディスクへの読取および書込み動作を行う。
【００６１】
本発明のデータ交換および記憶装置60がデータ処理システム10と接続せずに動作モードにあり、ユーザが装置60上のキー入力制御部661の動作キーを介して動作コマンドを入力するならば、制御装置モジュール62はコマンドにしたがって関連する動作を実行し、例えば代わりに外部記憶装置中のデータを取外し可能なハードディスクへ記憶する。同時に、ユーザは単に液晶ディスプレイモジュールの外部記憶装置から読取られたデータを表示し、ユーザは代わりにリクエストされたとき、データを移動体ハードディスクドライブ611へ（図７の実施形態ではＤＲＡＭ記憶モジュール612へ）記憶する。その代わりの動作はまたキーによって制御されることができる。
【００６２】
図１１を詳細に参照すると、図８に示されているデータ交換および記憶装置が１例として使用されている。ユーザが外部記憶装置中のデータを内部メモリモジュールとしての移動体ハードディスクドライブ611中へ記憶する動作を実行することを決定した後、ファームウェア、即ち制御モジュール62中のオペレーティングシステムは外部記憶装置と取外し可能なハードディッシュ611の装置情報を関連するインターフェースから読取る。その情報は外部記憶装置および取外し可能なハードディッシュ611の装置のタイプ、記憶容量、利用可能なスペース、インターフェースのタイプ等を含んでいる。同時に、オペレーティングシステムは移動体ハードディスクドライブ611の関連するディレクトリの下に位置される外部記憶装置に対応するディレクトリを生成する。第１のファイルはその後、対応する外部記憶装置から読取られ、制御装置モジュール62へ送信され、読出された情報は液晶ディスプレイモジュール671で表示される。ユーザの確認時に、ファイルは移動体ハードディスクドライブ611で生成される関連するディレクトリ中にコピーされる。ファイルのコピー後、ファームウェアは外部記憶装置中にコピーされていないファイルが依然として存在するか否かを検出する。このようなファイルが存在するならば、前述のコピー動作は外部記憶装置中の全てのファイルが移動体ハードディスクドライブ611にコピーされるまで反復される。
【００６３】
さらに、装置の初期化、ユーザ動作、データ処理動作、ファイル複製動作、ファイル複製プロセスを含んだ前述の動作プロセスの全ての情報は液晶ディスプレイモジュール671で表示されることができる。
【図面の簡単な説明】
【００６４】
【図１】本発明の１実施形態によるデータ交換および記憶装置のブロック図。
【図２】本発明の別の実施形態による拡張された機能を有するデータ交換および記憶装置のブロック図。
【図３】本発明の１実施形態にしたがったシステムインターフェースモジュールの主要なブロック図。
【図４】本発明の１実施形態にしたがった外部記憶装置のインターフェースモジュールの主要なブロック図。
【図５】本発明の１実施形態にしたがった電源モジュールの構成のブロック図。
【図６】本発明の１実施形態にしたがったＵＳＢインターフェースとＣＦインターフェースを使用することにより実行されるデータ交換および記憶装置のブロック図。
【図７】本発明の別の実施形態にしたがったＩＥＥＥ１３９４インターフェースとＳＭインターフェースを使用することにより実行されるデータ交換および記憶装置のブロック図。
【図８】本発明の更に別の実施形態にしたがった複数の外部記憶装置インターフェースを採択するアプリケーション機能のブロック図。
【図９】本発明の１実施形態にしたがったデータ交換および記憶装置の動作のフローチャート。
【図１０】本発明の１実施形態にしたがったデータ交換および記憶装置がデータ処理システムに接続されていないときのデータアクセスの手順のフローチャート。
【図１１】本発明の別の実施された方式にしたがったデータ交換および記憶装置の動作のフローチャート。
【図１２】図５の電源モジュールの回路原理を示す図。
【図１３】本発明のデータ交換および記憶装置の液晶ディスプレイモジュールの回路原理を示す図。
【図１４】図６のシステムインターフェースがＵＳＢインターフェースである回路原理図。
【図１５】図６のシステムインターフェースがＩＥＥＥ１３９４インターフェースである回路原理図。
【図１６】図６に示されている取外し可能なハードディスクインターフェースの回路原理図。
【図１７】図６の外部記憶装置のインターフェースがＣＦインターフェースである回路原理図。
【図１８】外部記憶装置のインターフェースがＳＭインターフェースである図８に示されている回路原理図。
【図１９】外部記憶装置のインターフェースがＭＳインターフェースである図８に示されている回路原理図。
【図２０】外部記憶装置のインターフェースがＳＤ／ＭＭＣインターフェースである図８に示されている回路原理図。
【図２１】本発明の１実施形態にしたがった制御装置モジュールの中央制御装置の回路原理図。
【図１】
2006500663.tif 000003
【図２】
2006500663.tif 000004
【図３】
2006500663.tif 000005
【図４】
2006500663.tif 000006
【図５】
2006500663.tif 000007
【図６】
2006500663.tif 000008
【図７】
2006500663.tif 000009
【図８】
2006500663.tif 000010
【図９】
2006500663.tif 000011
【図１０】
2006500663.tif 000012
【図１１】
2006500663.tif 000013
【図１２】
2006500663.tif 000014
【図１３】
2006500663.tif 000015
【図１４】
2006500663.tif 000016
【図１５】
2006500663.tif 000017
【図１６】
2006500663.tif 000018
【図１７】
2006500663.tif 000019
【図１８】
2006500663.tif 000020
【図１９】
2006500663.tif 000021
【図２０】
2006500663.tif 000022
【図２１】
2006500663.tif 000023
【国際調査報告】
2006500663.tif 000024
2006500663.tif 000025